(57)【要約】【課題】生ゴミの中にご飯等が含まれている場合にも、それが処理容器の内面並びに撹拌羽根に付着しこびり付いて離れなくなることを防止でき、撹拌羽根の円滑な回転を継続し得、生ゴミ処理の安定化を図り得る生ゴミ処理機の運転方法を提供する。【解決手段】処理容器１内に投入される生ゴミに、多孔質粒状体として、例えば、珪藻土焼成粒を添加する。【選択図】図１
2006142212.tif 000002
【特許請求の範囲】
【請求項１】
ハウジング内に設置された処理容器内に投入した生ゴミに、マイクロ波を照射し且つ送風を行って加熱乾燥させるようにした生ゴミ処理機の運転方法であって、
生ゴミに多孔質粒状体を添加することを特徴とする生ゴミ処理機の運転方法。
【請求項２】
ハウジング内に設置された処理容器内に投入した生ゴミを、撹拌羽根を回転させて撹拌すると共に、回転翼を回転させて切断又は破砕しつつ、マイクロ波を照射し且つ送風を行って加熱乾燥させるようにした生ゴミ処理機の運転方法であって、
生ゴミに多孔質粒状体を添加することを特徴とする生ゴミ処理機の運転方法。
【請求項３】
多孔質粒状体を珪藻土焼成粒とした請求項１又は２記載の生ゴミ処理機の運転方法。 
【発明の詳細な説明】
【技術分野】
【０００１】
本発明は、マイクロ波加熱式の生ゴミ処理機、特に、処理容器内に投入した生ゴミを、撹拌羽根を回転させて撹拌すると共に、カッタ又は破砕翼等の回転翼を回転させて切断又は破砕しつつ、マイクロ波を照射し且つ送風を行って加熱乾燥させる生ゴミ処理機の運転方法に関するものである。
【背景技術】
【０００２】
この種の生ゴミ処理機としては、従来、特許文献１に開示されたようなものがある。
【０００３】
図３〜図５は、特許文献１に開示された生ゴミ処理機を示すものであって、有底円筒形金属製の処理容器１をハウジング２内に固定設置し、この処理容器１の上面開口を、ハウジング２に枢着されたマイクロ波遮蔽上蓋３にて開閉でき、又、処理容器１の側壁下部に、マイクロ波透過材料で閉じられた二つのマイクロ波照射口４を設け、処理容器１とハウジング２との間に設置された二台のマグネトロン（マイクロ波発振器）５から、それぞれの導波管５ａ及びマイクロ波照射口４を通じて処理容器１内にマイクロ波を照射する構造になっている。
【０００４】
又、処理容器１には、送風ダクト６と排気ダクト７とが接続されており、各マグネトロン５において吸気ファン（図示せず）により冷却に供されて暖められた空気が、送風ダクト６を通じて処理容器１内に温風となって送風されながら、処理容器１内のガスが、処理容器１の上部に設けられた排気口（図示せず）から、排気ファン８により排気ダクト７を通じて外部へ強制排気されるようになっている。更に、処理容器１の底部には、図６に示されるように、マイクロ波が漏洩しないサイズとした複数のドレン孔１ａが設けられており、ここから自動的に排水できるようになっている。
【０００５】
一方、処理容器１内の底部中央には、回転翼軸９と円筒形の撹拌軸１０とが同芯状に貫通配置され、回転翼軸９の上端には、図６に示されるように、カッタ又は破砕翼等の回転翼１１が取り付けられ、撹拌軸１０には、回転翼１１よりも下方において撹拌羽根１２が取り付けられている。回転翼１１は、図３に示されるように、ハウジング２内の下部に設置された回転翼モータ１３により回転され、撹拌羽根１２は、同じくハウジング２内の下部に設置された撹拌モータ１４により回転されるようになっている。
【０００６】
そして、処理容器１の周壁下部には、図６に示されるように、ドレン孔１ａの近傍において排出口１ｂが設けられ、この排出口１ｂは、図３及び図７に示されるように、処理容器１の周壁外側に枢着された排出扉２０にて開閉され、該排出扉２０は、ロックレバー２２の操作によりロック状態とロック解除状態とに切り換えられるようになっている。
【０００７】
前述の如き従来の生ゴミ処理機においては、処理容器１内に生ゴミを投入してマイクロ波遮蔽上蓋３を閉じた後、図示していないタッチ操作パネルにより、回転翼モータ１３による回転翼１１の各ステップ毎の切替時間、間欠回転の間欠時間、及び回転数等といった回転に関するパラメータを任意に設定入力し、且つ撹拌モータ１４による撹拌羽根１２の各ステップ毎の回転に関するパラメータを任意に設定入力し、スタートボタンを押すと、生ゴミは、回転する撹拌羽根１２により撹拌されると共に、回転する回転翼１１により切断又は破砕されつつ、マグネトロン５からマイクロ波が照射され且つ送風が行われて加熱乾燥され、運転終了後、排出扉２０が開放されて処理物が排出口１ｂから排出される。
【特許文献１】特開２００２−３７００７９号公報
【発明の開示】
【発明が解決しようとする課題】
【０００８】
しかしながら、従来の生ゴミ処理機においては、特に、生ゴミの中にご飯等が含まれている場合、それが餅状となることにより処理容器１の内面に付着し、更にそれが焦げてしまい、処理容器１の内面だけでなく撹拌羽根１２にもこびり付いて離れなくなり、該撹拌羽根１２が停止してしまい、生ゴミの処理がうまくできなくなることがあった。
【０００９】
本発明は、斯かる実情に鑑み、生ゴミの中にご飯等が含まれている場合にも、それが処理容器の内面並びに撹拌羽根に付着しこびり付いて離れなくなることを防止でき、撹拌羽根の円滑な回転を継続し得、生ゴミ処理の安定化を図り得る生ゴミ処理機の運転方法を提供しようとするものである。
【課題を解決するための手段】
【００１０】
本発明は、ハウジング内に設置された処理容器内に投入した生ゴミに、マイクロ波を照射し且つ送風を行って加熱乾燥させるようにした生ゴミ処理機の運転方法であって、
生ゴミに多孔質粒状体を添加することを特徴とする生ゴミ処理機の運転方法にかかるものである。
【００１１】
この生ゴミ処理機の運転方法においては、処理容器内に生ゴミを投入して処理を開始すると、生ゴミには、マグネトロンからマイクロ波が照射され且つ送風が行われて、前記生ゴミの加熱乾燥が行われるが、この時、生ゴミから出る水分は、添加された多孔質粒状体によって確実に吸収されるため、生ゴミの中にご飯等が含まれていたとしても、それが餅状とならず、処理容器の内面にこびり付いて離れなくなってしまうようなことが避けられ、生ゴミの処理が安定して行われることとなる。
【００１２】
又、本発明は、ハウジング内に設置された処理容器内に投入した生ゴミを、撹拌羽根を回転させて撹拌すると共に、回転翼を回転させて切断又は破砕しつつ、マイクロ波を照射し且つ送風を行って加熱乾燥させるようにした生ゴミ処理機の運転方法であって、
生ゴミに多孔質粒状体を添加することを特徴とする生ゴミ処理機の運転方法にかかるものである。
【００１３】
この生ゴミ処理機の運転方法においては、処理容器内に生ゴミを投入して処理を開始すると、生ゴミは、回転する撹拌羽根により撹拌されると共に、回転する回転翼により切断又は破砕されつつ、マグネトロンからマイクロ波が照射され且つ送風が行われて、前記生ゴミの加熱乾燥が行われるが、この時、生ゴミから出る水分は、添加された多孔質粒状体によって確実に吸収されるため、生ゴミの中にご飯等が含まれていたとしても、それが餅状とならず、処理容器の内面並びに撹拌羽根にこびり付いて離れなくなってしまうようなことが避けられ、撹拌羽根が停止したりせず、生ゴミの処理が安定して行われることとなる。
【００１４】
前記生ゴミ処理機の運転方法においては、多孔質粒状体を珪藻土焼成粒とすることができる。
【発明の効果】
【００１５】
本発明の生ゴミ処理機の運転方法によれば、生ゴミの中にご飯等が含まれている場合にも、それが処理容器の内面並びに撹拌羽根に付着しこびり付いて離れなくなることを防止でき、撹拌羽根の円滑な回転を継続し得、生ゴミ処理の安定化を図り得るという優れた効果を奏し得る。
【発明を実施するための最良の形態】
【００１６】
以下、本発明の実施の形態を添付図面を参照して説明する。
【００１７】
図１は本発明を実施する形態の一例であって、図中、図３〜図７と同一の符号を付した部分は同一物を表わしており、基本的な構成は図３〜図７に示す従来のものと同様であるが、本図示例の特徴とするところは、図１に示す如く、処理容器１内に投入される生ゴミに、多孔質粒状体を添加するようにした点にある。
【００１８】
前記多孔質粒状体としては、例えば、珪藻土焼成粒を採用することができる。
【００１９】
珪藻土は、珪藻と呼ばれる植物プランクトンの死骸が数百万年かかって化石化してできた土であり、直径が数〜数十［μｍ］で、その内部と外部に通じる０．１〜１．０［μｍ］程度の無数の細孔が形成され、吸水性に優れ、主成分が珪酸で、弱酸性を示し、耐熱温度がおよそ１７００［℃］程度のものであるが、前記珪藻土焼成粒は、珪藻土を焼き固めて所要粒径を有する粒状体としたものである。
【００２０】
尚、前記生ゴミに多孔質粒状体を添加するタイミングは、処理前、或いは処理開始直後のどちらでも良い。
【００２１】
次に、上記図示例の作用を説明する。
【００２２】
処理容器１内に生ゴミを投入して処理を開始すると、生ゴミは、回転する撹拌羽根１２により撹拌されると共に、回転する回転翼１１により切断又は破砕されつつ、マグネトロン５からマイクロ波が照射され且つ送風が行われて、前記生ゴミの加熱乾燥が行われるが、この時、生ゴミから出る水分は、添加された多孔質粒状体によって確実に吸収されるため、生ゴミの中にご飯等が含まれていたとしても、それが餅状とならず、処理容器１の内面並びに撹拌羽根１２にこびり付いて離れなくなってしまうようなことが避けられ、撹拌羽根１２が停止したりせず、生ゴミの処理が安定して行われることとなる。
【００２３】
こうして、生ゴミの中にご飯等が含まれている場合にも、それが処理容器１の内面並びに撹拌羽根１２に付着しこびり付いて離れなくなることを防止でき、撹拌羽根１２の円滑な回転を継続し得、生ゴミ処理の安定化を図り得る。
【００２４】
［実施例］
内径が３００［ｍｍ］の有底円筒形金属製の処理容器１内に、生ゴミとして、ご飯を２．４［ｋｇ］（全体に占める割合が４０［％］）、野菜を３．６［ｋｇ］（全体に占める割合が６０［％］）投入すると共に、該生ゴミに多孔質粒状体としての珪藻土焼成粒（粒径が１〜２［ｍｍ］程度）を２００［ｇ］添加した状態で、処理を行った結果、処理容器１の内面並びに撹拌羽根１２に生ゴミがこびり付いて離れなくなってしまうようなことが避けられ、撹拌羽根１２が停止したりせず、生ゴミの処理が安定して行われることが確認された（図２（ａ）に示す実際の画像参照）。
【００２５】
これに対し、前述と同様の処理容器１内に、生ゴミとして、ご飯を１．８［ｋｇ］（全体に占める割合が３０［％］）、野菜を４．２［ｋｇ］（全体に占める割合が７０［％］）投入し、該生ゴミには多孔質粒状体としての珪藻土焼成粒を添加せずに、処理を行った結果、ご飯の全体に占める割合が低いにもかかわらず、処理容器１の内面並びに撹拌羽根１２に生ゴミがこびり付いて離れなくなり、撹拌羽根１２が停止してしまい、生ゴミの処理がうまくできなくなることが確認された（図２（ｂ）に示す実際の画像参照）。
【００２６】
又、前述と同様の処理容器１内に、生ゴミとして、ご飯を２．４［ｋｇ］（全体に占める割合が４０［％］）、野菜を３．６［ｋｇ］（全体に占める割合が６０［％］）投入すると共に、該生ゴミに多孔質粒状体としての珪藻土焼成粒（粒径が１〜２［ｍｍ］程度）を１００［ｇ］添加した状態で、処理を行った結果、処理容器１の内面並びに撹拌羽根１２に生ゴミがこびり付いて離れなくなり、撹拌羽根１２が停止してしまい、生ゴミの処理がうまくできなくなることが確認された。
【００２７】
これらの試験結果から、多孔質粒状体として珪藻土焼成粒を採用した場合、生ゴミの総重量に対して、およそ３〜４［％］程度の珪藻土焼成粒を添加することが、経済性を考慮しつつ処理の安定性を確保する上で望ましいと言える。
【００２８】
尚、本発明の生ゴミ処理機の運転方法は、上述の図示例にのみ限定されるものではなく、多孔質粒状体としては珪藻土焼成粒以外のものを採用しても良いこと等、その他、本発明の要旨を逸脱しない範囲内において種々変更を加え得ることは勿論である。
【図面の簡単な説明】
【００２９】
【図１】本発明を実施する形態の一例を示す概要図である。
【図２】実際に行った試験結果を比較するために処理容器内部を撮影した画像であって、（ａ）は多孔質粒状体としての珪藻土焼成粒を添加した場合の生ゴミの状態を示す画像、（ｂ）は多孔質粒状体としての珪藻土焼成粒を添加しない場合の生ゴミの状態を示す画像である。
【図３】従来例の全体概要正面図である。
【図４】従来例の全体概要側面図である。
【図５】従来例の全体概要平面図である。
【図６】従来例における撹拌羽根と回転翼との組み合わせ状態を示す斜視図である。
【図７】従来例における処理容器の排出口を開閉する排出扉の半開き状態を示す斜視図である。
【符号の説明】
【００３０】
１    処理容器
２    ハウジング
１１    回転翼
１２    撹拌羽根
【図１】
2006142212.tif 000003
【図３】
2006142212.tif 000004
【図４】
2006142212.tif 000005
【図５】
2006142212.tif 000006
【図６】
2006142212.tif 000007
【図７】
2006142212.tif 000008
【図２】
2006142212.tif 000009